(57)【要約】【課題】複数組み合わせることによって独特の美観を発揮することのできる容器を提供すること。【解決手段】有底筒状の容器本体と、容器本体の側方に設けられる取手とを備える容器において、取手は、容器本体の側方に間隔をおいて設けられる握り部材と、握り部材を容器本体の側方に連結する腕部材とを備え、握り部材は、上向きに開口し、且つ下方へ向かって窄まる筒状をなすと共に、上部には別容器の握り部材から上方に突出する突出部を、下部には別容器の握り部材に対して挿入する挿入部を備え、挿入部はその外周面に、別容器の握り部材を回転不能に積重ねる平面視多角形状の嵌合凸面を備え、挿入部と突出部の内周面の少なくとも一方に、嵌合凸面に嵌合する嵌合凹面を備えることを特徴とする容器。【選択図】      図１
2016008076.tif 000002
【特許請求の範囲】
【請求項１】
有底筒状の容器本体と、容器本体の側方に設けられる取手とを備える容器において、
取手は、容器本体の側方に間隔をおいて設けられる握り部材と、握り部材を容器本体の側方に連結する腕部材とを備え、
握り部材は、上向きに開口し、且つ下方へ向かって窄まる筒状をなすと共に、上部には別容器の握り部材から上方に突出する突出部を、下部には別容器の握り部材に対して挿入する挿入部を備え、
挿入部はその外周面に、別容器の握り部材を回転不能に積重ねる平面視多角形状の嵌合凸面を備え、
挿入部と突出部の内周面の少なくとも一方に、嵌合凸面に嵌合する嵌合凹面を備えることを特徴とする容器。
【請求項２】
突出部は、上部に第１筒部を、下部に口径方向内側に狭まる第１段部を備え、
挿入部は、第１段部の内周部から垂下する第２筒部を備え、
嵌合凸面は第１筒部の外周面に、嵌合凹面は第２筒部の内周面に形成されていることを特徴とする請求項１記載の容器。
【請求項３】
握り部材と容器本体の下面は、同じ高さであることを特徴とする請求項１又は２記載の容器。
【請求項４】
有底筒状の専用容器の周囲に着脱可能に嵌合するリング状のホルダーと、ホルダーに設けられる取手とを備え、
取手は、ホルダーの側方に間隔をおいて設けられる握り部材と、握り部材をホルダーの側方に連結する腕部材とを備え、
握り部材は、上向きに開口し、且つ下方へ向かって窄まる筒状をなすと共に、上部には別容器の握り部材から上方に突出する突出部を、下部には別アタッチメントの握り部材に対して挿入する挿入部を備え、
挿入部はその外周面に、別容器の握り部材を回転不能に積重ねる平面視多角形状の嵌合凸面を備え、
挿入部と突出部の内周面の少なくとも一方に、嵌合凸面に嵌合する嵌合凹面を備えることを特徴とする容器のアタッチメント。
【発明の詳細な説明】
【技術分野】
【０００１】
本発明は、複数の容器を組み合わせて用いることに適した容器、容器のアタッチメントに関する。
【背景技術】
【０００２】
一般的な容器は、単独で使用することを前提として製作されている。しかしながら複数の容器を組み合わせることによって、単独の容器では形成できない美観を提供することのできる容器セットが存在する。
【０００３】
従来の容器セットの一例として、テーブル上に置く台座部と、台座部から起立する幹部と、カップを支える為に幹部から枝分かれする複数本の支持分枝を含む支持部と、各支持分枝に支持されるカップとを備えるコップ容器が存在する（特許文献１）。またこのコップ容器は、カップと支持分枝との着脱用に、カップの底部には差込用凸部が形成され、上方へ延長する支持分枝の先端部には差込用凹部が形成されていた。
【０００４】
そしてこのコップ容器は、差込用凸部と差込用凹部を用いて複数の支持分枝にカップをそれぞれ取り付けることによって、幹部を中心としてその周囲の同じ高さ位置にカップを等角度おきに配置した独特の美観を提供するものとなっている。
【先行技術文献】
【特許文献】
【０００５】
【特許文献１】実用新案登録第３１０２３８８号公報
【発明の概要】
【発明が解決しようとする課題】
【０００６】
ところでこのコップ容器は、独特の美観を発揮する為（円周方向に対して等角度おきに複数のカップを固定する為）に、台座部と幹部と支持部を一体物にした専用の取付具をカップとは別に必要とするものである。
【０００７】
しかしながらカップを使用する数量に関係なく、支持部は予め複数本の支持分枝を幹部から突出させるものであるため、支持分枝の数量よりも少ない数量のカップを使用した場合、カップが付いていない支持分枝が存在することになり、容器セットとしての完成度ひいては美観が不十分なものに感じられる。従って使用者が必要とする数量のカップすなわち容器だけで、独特の美観を発揮できるものが望まれる。
【０００８】
またこのコップ容器は、全体として使用した場合には独特の美観を発揮するが、カップ単独で使用するには、不向きな物であった。なぜならカップの底部に小径の差込用凸部が形成されており、カップを単独でテーブル等の平面上に置くことは想定していないと、言えるからである。
【０００９】
またこのコップ容器は、支持分枝に取り付ける目的で、差込用凸部が形成された特殊なカップでなければならない。従って差込用凸部（支持分枝に取り付ける目的）のない普通の有底筒状の容器（以下では、物を入れる専用の目的である「専用容器」と言う。）に対してアタッチメントを取り付けられるようにし、そのアタッチメント及び専用容器をそれぞれ複数使ったときに容器セットとして、独特の美観を提供できるようにすれば、必要に応じて専用容器を単独で使用する場合と、容器セットとして使用する場合を使い分けすることができる。従って専用容器に取り付けることの可能なアタッチメントがあれば、使い分けをすることができる。
【００１０】
本発明は上記実情を考慮して創作されたもので、その目的は使用者が必要とする数量の容器を組み合わせることによって独特の美観を発揮することのできる容器、及び専用容器に取り付けられるアタッチメントであって、複数組み合わせて用いることによって独特の美観を発揮することのできるアタッチメントを提供することである。
【課題を解決するための手段】
【００１１】
本発明の容器は、有底筒状の容器本体と、容器本体の側方に設けられる取手とを備えるものである。そして取手は、容器本体の側方に間隔をおいて設けられる握り部材と、握り部材を容器本体の側方に連結する腕部材とを備える。その上で握り部材は、上向きに開口し、且つ下方へ向かって窄まる筒状をなすと共に、上部には別容器の握り部材から上方に突出する突出部を、下部には別容器の握り部材に対して挿入する挿入部を備える。また挿入部はその外周面に、別容器の握り部材を回転不能に積重ねる平面視多角形状の嵌合凸面を備える。そして挿入部と突出部の内周面の少なくとも一方に、嵌合凸面に嵌合する嵌合凹面を備えている。
【００１２】
握り部材の筒状は下方へ向かって窄まる形態であれば良いので、段部の有無を問わない。そこで例えば段部のない形態の場合、つまり握り部材の外面全面及び内面全面が平面視正多角形状の面である場合を想定する。この場合、容器を２つ用意し、それらの握り部材を積重ねたとすると、下側の握り部材の内面に上側の握り部材の外面下部が隙間なく嵌合し、下側の握り部材の上方に上側の握り部材の上部が突出する形となる。そしてこの突出長がどの程度になるのかは、握り部材の形状から把握することができない。
そこで積重ねた際の突出長さを握り部材の形状から把握しやすくするには次のようにすることが望ましい。
すなわち、突出部は、上部に第１筒部を、下部に口径方向内側に狭まる第１段部を備え、挿入部は、第１段部の内周部から垂下する第２筒部を備え、嵌合凸面は第１筒部の外周面に、嵌合凹面は第２筒部の内周面に形成されることである。
【００１３】
さらに握り部材の下面と容器本体の下面との関係は問わず、握り部材の下面は容器本体の下面よりも高いものであっても良い。但しこの場合、容器をテーブル等の平面に置くと、握り部材は浮いた状態になる。そして複数の容器を積重ねる際に、容器本体同士が積み重ならないようにして、握り部材同士を平面視多角形状の頂部の位置をずらして積重ねると、握り部材に上側の容器の重量が加わり、積重ねた容器全体（つまり容器セット）として不安定になる。このような場合、握り部材を挿し込む為の穴部が形成された台があれば、容器セットは安定する。しかしながら、台が無くても、容器セットを安定させるには次のようにすることが望ましい。
すなわち、握り部材と容器本体の下面は、同じ高さにすることである。
【００１４】
本発明の容器は、腕部材と握り部材とから構成される取手が有底筒状の容器本体と一体となったものであるが、この取手と同じ構成を用いることによって、有底筒状の専用容器に取り付ける別体のアタッチメントを形成することができる。
すなわち本発明の容器用アタッチメントは、有底筒状の専用容器の周囲に着脱可能に嵌合するリング状のホルダーと、ホルダーに設けられる取手とを備えるものとする。そして取手は、ホルダーの側方に間隔をおいて設けられる握り部材と、握り部材をホルダーの側方に連結する腕部材とを備えるものとする。その上で握り部材は、上向きに開口し、且つ下方へ向かって窄まる筒状をなすと共に、上部には別容器の握り部材から上方に突出する突出部を、下部には別容器の握り部材に対して挿入する挿入部を備えるものとする。また挿入部はその外周面に、別アタッチメントの握り部材を回転不能に積重ねる平面視多角形状の嵌合凸面を備える。そして挿入部と突出部の内周面の少なくとも一方に、嵌合凸面に嵌合する嵌合凹面を備えるものとする。
【発明の効果】
【００１５】
本発明の容器によれば、複数の容器を積重ねる際に、容器本体同士が積重ならないように取手の握り部材同士のみを積重ねることができる。つまり平面視して握り部材を中心とする多角形状の頂点の位置をずらして握り部材同士を積重ねれば良い。従って複数の容器を使えば、握り部材を中心にして容器本体が円周方向に螺旋状にずれるようにして握り部材同士を積重ねることもでき、新たな独特の美観を発揮することができる。また容器本体と取手とが一体となっている容器なので、使用した容器の数量に応じた、一つの完成した美観を発揮することができる。しかも積重なった握り部材を掴めば、独特の美観を発揮している複数の容器をまとめて持ち運びすることもできる。
【００１６】
また突出部の構成を、上部に第１筒部を、下部に口径方向内側に狭まる第１段部を備えるものとし、挿入部の構成を、第１段部の内周部から垂下する第２筒部を備えるものとし、嵌合凸面を第１筒部の外周面に、嵌合凹面は第２筒部の内周面に形成する構成とした容器によれば、第１段部よりも上側に位置する第１筒部の分が、握り部材同士を積重ねた際の突出長となるので、握り部材の筒体の形状から積重ねた際の突出長を把握することができる。
【００１７】
さらに握り部材と容器本体の下面を同じ高さにすれば、握り部材を中心とする円周方向に容器本体の位置をずらしながら握り部材同士（容器同士）を積重ねた際に、一番下側の握り部材がテーブル等の平面に置かれているので、積重ねた容器としての容器セットが安定する。
【００１８】
さらに本発明の容器のアタッチメントによれば、例えばこのアタッチメントに適した有底筒状の専用容器を用いることにより、専用容器の外周面にアタッチメントのホルダーを嵌合させることができるので、複数の専用容器と複数のアタッチメントを使えば握り部材を中心にして専用容器が円周方向に螺旋状にずれるようにして握り部材同士を積重ねることもでき、新たな美観を発揮することができる。
【図面の簡単な説明】
【００１９】
【図１】（ａ）図は、本発明の第一実施形態の容器を示す正面図、（ｂ）図は平面図、（ｃ）図はＡ−Ａ線断面図である。
【図２】（ａ）（ｂ）図は、本発明の第一実施形態の容器を積重ねた状態を示す平面図、Ａ−Ａ線断面図である。
【図３】本発明の第一実施形態の容器を積重ねた状態を示す斜視図である。
【図４】（ａ）図は、本発明の第二実施形態の容器を示す平面図、（ｂ）図はＡ−Ａ線断面図である。
【図５】（ａ）図は、本発明の第二実施形態の容器を積重ねた状態を示す平面図、（ｂ）図はＡ−Ａ線断面図である。
【図６】（ａ）図は、本発明の第一実施形態のアタッチメントを示す正面図、（ｂ）図は平面図、（ｃ）図はＡ−Ａ線断面図である。
【図７】本発明の第一実施形態のアタッチメントをコップに取り付けた状態を示す断面図である。
【発明を実施するための形態】
【００２０】
本発明の第一実施形態の容器１は図１〜図３に示すように、有底筒状の一形態であるコップ状の容器本体２と、容器本体２の側方に設けられる取手３とを備えている。なお容器１は、例えば合成樹脂製であり、射出成型によって製造する。
【００２１】
容器本体２は、筒状の胴部２１と、胴部２１の下端部を閉鎖する底部２２とから構成される。胴部２１は、上端から下端に亘る範囲において下方に向かって外径及び内径（以下、外径と内径を合わせて「口径」と言う。）が小さくなる、つまり下方へ向かって小径となる筒状である。
【００２２】
取手３は、容器本体２の側方に間隔をおいて設けられる握り部材５と、握り部材５及び容器本体２の上部を接合する腕部材４とから構成される。
【００２３】
腕部材４は、平面視して握り部材５の中心と容器本体２の中心を繋ぐ方向に延長すると共に、下向きに開口する断面コ字状であり、握り部材５と容器本体２の間に架設する３枚の板から構成されている。３枚の板とは、１枚の天板４１と２枚の側板４２，４２である。そして腕部材４は、２枚の側板４２，４２を鉛直方向に立てると共に互いの厚み方向に対向させて離隔し、２枚の側板４２，４２の上端部に天板４１を接合した形になっている。
【００２４】
天板４１は、板を屈曲させた形であり、容器本体２と握り部材５との間に延長する長さ方向の全長のうち容器本体２側の一端部である容器用接合部４５と、反対側（握り部材５側）の一端部である握り用接合部４６と、容器用接合部４５及び握り用接合部４６を接合する中継部４７とから構成される。
【００２５】
前記長さ方向に関して容器用接合部４５を握り用接合部４６よりも長くすると共に、容器用接合部４５及び握り用接合部４６を何れも水平方向に延長するものとしてある。
また高さ方向に関して容器用接合部４５を握り用接合部４６よりも下側に配置し、容器用接合部４５と握り用接合部４６との間に中継部４７が斜めに架設する形となっている。より詳しくは握り用接合部４６を握り部材５の上端部に互いの上面が面一になる形で接合し、容器用接合部４５を容器本体２の上端よりも下方に接合してある。ちなみに容器本体２と握り部材５の互いの上端並びに下端は同じ高さに揃えてあり、容器用接合部４５が容器本体２の上端よりも下方に接合してあるので、容器本体２の上端部の周方向全周は、何もついておらず露出しており、この容器本体２の上端部に蓋（図示略）を着脱可能に取り付けられる。なお蓋は、容器本体２の上端部の外周形状よりも僅かに大きな蓋本体と、蓋本体の外周縁部全周から垂下するリング部から構成される。
【００２６】
握り部材５は、有底筒状であり、上端から下端に亘る範囲において下方に向かって口径が小さくなる傾斜が付くと共に、段付き形状にしてある。また握り部材５は、鉛直方向を貫通方向とする筒体５ａと、筒体５ａの下端部を塞ぐ底板５ｂとを備えている。底板５ｂは、上下方向に貫通する水抜き用の貫通穴５ｈが形成されている。
【００２７】
筒体５ａは、上向きに開口すると共に下方へ向かって窄まるもので、段が二つ付いた形状であり、具体的には筒体５ａは、上から下に向かって順に配置される第１、第２、第３筒部５１，５２，５３と、第１筒部５１の下端部及び第２筒部５２の上端部を口径方向に延長する形で接合する第１段部６１と、第２筒部５２の下端部及び第３筒部５３の上端部を口径方向に延長する形で接合する第２段部６２とから構成される。また第２筒部５２から下側の部分（第２筒部５２、第２段部６２、第３筒部５３）は、積重ねる別容器１の筒体５ａに対して挿入する挿入部５６である。また第１筒部５１と第１段部６１とは、積重ねる別容器１の筒体５ａから上方に突出する突出部５７である。
【００２８】
第１、第２、第３筒部５１，５２，５３は、上から下に向かって口径が小さくなる形状であると共に、第１、第２、第３という順番通りに口径が段階的に小さくなっている。また第１、第２筒部５１，５２は、頂点数が等しい相似形の正多角形状の角筒であり、より詳しく言えば正五角形の角筒であって、下方へ向かうにつれて口径が小さくなる傾斜が付いており、互いの外面及び内面を平面視正多角形状の角錐状面としてある。なお平面視した際に第１筒部５１の各頂点と握り部材５の中心５Ｃとを結ぶ直線上に、第２筒部５２の頂点は位置するようになっている。また第３筒部５３は、下方へ向かうにつれて口径が小さくなるテーパ形状の円筒である。
【００２９】
また第１筒部５１の内面は、その内側に同じ形態の別容器１の第２筒部５２の外面を嵌合する為に、嵌合凹面５ｊとなっている。一方、第２筒部５２の外面は、その外側に同じ形態の別容器１の第１筒部５１の内面を嵌合する為に、嵌合凸面５ｋとなっている。そして第１筒部５１の嵌合凹面５ｊの内径を、第２筒部５２の嵌合凸面５ｋの外径よりも僅かに大きく形成し、第１筒部５１の内側に別容器１の第２筒部５２が嵌合するようにし、容器１，１同士を筒体５ａの周方向に対して回転不能に位置決めしてある。このように筒体５ａは、同じ形態の別容器の筒体５ａを嵌合する為に嵌合凹面５ｊと嵌合凸面５ｋとを備え、嵌合凸面５ｋを嵌合凹面５ｊよりも下側に備えるものとしてある。
【００３０】
鉛直方向に対する傾斜角度に関して、第１、第２筒部５１，５２の傾斜角度を同じにすると共に、第３筒部５３の傾斜角度を第１、第２筒部５１，５２のよりもより緩やかな傾斜角度に（より水平に近いような傾斜角度に）してある。ちなみに握り部材５（筒体５ａ）の中心線５Ｌと容器本体２の中心線２Ｌとは平行（鉛直方向）の関係にある。
【００３１】
全高に関して第２筒部５２の全高Ｌ２は第１筒部５１の全高Ｌ１（＝突出部５７の全高）よりも短く、より詳しく言えば第１筒部５１の全高Ｌ１の半分の寸法よりも短く形成されている。なお第３筒部５３の全高Ｌ３は、第１筒部５１の全高Ｌ１及び第２筒部５２の全高Ｌ２よりも長く形成されている。また全高に関して突出部５７の全高Ｌ１は、握り部材５の全高Ｌ０（容器本体２の全高）を正多角形状の頂点数ｎで除算した値以上の寸法に設定されている。不等式で表せば、Ｌ１≧Ｌ０÷ｎとなる。
【００３２】
第１段部６１は、環状であり、その外周形状を第１筒部５１の下端外周の形状である正五角形とし、その内周形状を第２筒部５２の上端内周の形状である正五角形としてある。従って第１段部６１は、第１筒部５１の下端部からその口径方向内側に狭まると共に第２筒部５２の上端部に接合する形となる。また第１段部６１の下面の外径を第１筒部５１の上面の内径よりも大きく形成し、握り部材５同士が上下に積重なる際に、上側の握り部材５の第１段部６１が下側の握り部材５の第１筒部５１の上面に積重なるようにしてある。
【００３３】
第２段部６２は、環状であり、その外周形状を第２筒部５２の下端外周の形状である正五角形とし、その内周形状を第３筒部５３の上端内周の形状である円形としてある。従って第２段部６２は、第２筒部５２の下端部からその口径方向内側に狭まると共に第３筒部５３の上端部に接合する形となる。
【００３４】
また平面視正多角形状である第１筒部５１及び第２筒部５２の頂点数をできるだけ多くし、平面視して握り部材５を中心とする円周１周の範囲に、できるだけ多くの数量の容器１を積重ねられるようにするには（容器本体２を多く配置できるようにするには）、図２に示すように、握り部５材の中心５Ｃから容器本体の中心２Ｃまでの中心間距離Ｈと、容器本体２の最大外径Ｒ（上端の外径）との関係が重要である。つまり容器本体２の最大外径Ｒが一定であると仮定すれば、中心間距離Ｈが長いほど、正多角形状の頂点数を多くして、円周１周の範囲に容器１を多く積重ねることができる。なお平面視して、握り部材５の中心５Ｃを中心として、中心間距離Ｈを半径とする円Ｍを描いた場合、その円周長はＨ×２πとなる。そして円Ｍの円周長を正多角形状の頂点数でｎ等分した場合、ｎ等分した円弧長の両端と握り部材５の中心５Ｃとを結ぶ扇形の角度範囲に、容器本体２が配置されるようにすることが望ましい。
【００３５】
上記した第一実施形態の容器１は、図２に示すように、上側に同じ形態の別容器１を積重ねる。その際には、握り部材５同士を積重ねると共に、容器本体２同士を積重ならないように位置をずらす。その位置のずらし方は、平面視して握り部材５を中心にして下側の容器本体２と上側の容器本体２が、時計回りに７２度（１周３６０度÷５＝７２度）ずれた位置になるようにする。また握り部材５の周り１周を均等に５分割した位置が第１、第２筒部５１，５２の形状（平面視正五角形の角筒形状）によって目視できるので、容易に位置をずらして握り部材５，５同士を容易に積重ねることができる。なお握り部材５，５同士を積重ねた状態において容器本体２，２同士は、平面視して握り部材５を中心とする円周方向に間隔をあけて配置されていることから、容器１，１を積重ねるときや、積重なった容器１，１を別々に引き抜くときに、容器本体２，２同士がぶつからず、積重ね及び引き抜き作業が容易に行える。
【００３６】
このようにして積重ねると、握り部材５の第１筒部５１の上に、別容器１の第１段部６１が積み重なり、握り部材５の第１筒部５１の嵌合凹面５ｊに別容器１の第２筒部５２の嵌合凸面５ｋが嵌合する。また筒体５ａを下方へ向かって段付きに小径となるようにしてあるので、突出部５７の全高Ｌ１が握り部材５同士を積重ねた際の突出長となり、握り部材５の筒体５ａの形状から積重ねた際の突出長を把握することができる。因みに下側の握り部材５の第３筒部５３の内側に上側の握り部材５の第３筒部５３が半径方向に隙間の有る状態で収容される。この積重ねを同じ要領で５回繰り返すと、合計６個の容器１が積重なることになる。このようにすることによって図３に示すように、握り部材５を中心にして容器本体２が螺旋状に（螺旋方向に等間隔毎に）配置されることになり、独特の美観を発揮するようになる。
【００３７】
また突出部５７の全高Ｌ１と握り部材５の全高Ｌ０（容器本体２の全高）との関係をＬ０÷５＜Ｌ１の不等式で表されるものとしてあるので、１つの握り部材５の上に頂点数の個数ｎ（５個）の握り部材５を積重ねた場合、言い換えれば全数で６個の握り部材５を積重ねた場合、容器２全体で形成される容器セットの全高は、握り部材５の全高Ｌ０の２倍以上となる。つまり一番下（１番目）の容器本体２の上端と一番上（６番目）の容器本体２の下端とは上下方向に離れた形になる。従って図３に示すように握り部材５を中心にして容器本体２が円周方向に螺旋状にずれるようにして、合計６個の容器１を積重ねたときに、一番下（１番目）の容器本体２と一番上（６番目）の容器本体２とが上下方向に離れた形で積重なることになり、１番目の容器本体２にその容量一杯分の液体を収容することができる。また容器本体２が何回転も螺旋状にずれるようにして、複数の容器１を積重ねることができ、新たな美観を発揮することができる。なお複数の容器１を積重ねる際に、握り部材５だけでなく容器本体２も平面視して同じ位置となるようにして積重ねることもでき、この場合も容器本体２が円周方向に螺旋状にずれるようにして積重ねたときと同様に、突出部５７の全高Ｌ１が握り部材５同士を積重ねた際の突出長となる。
【００３８】
さらに容器１は、容器本体２と取手３とが一体となっているので、使用した容器１の数量に応じた、一つの完成した新たな美観を発揮する。なお容器本体２と握り部材５は下面を同じ高さに揃えているので、平面上に置くことができ、上側の容器１の重量を一番下側の握り部材５で支持することになるので、複数の容器１を積重ねても安定したものとなる。そして複数の容器１を積重ねても安定したものとなるので、新たな美観を発揮しながらも、握り部材５を掴んで複数の容器１を一度にまとめて持ち運びすることもできる。
【００３９】
本発明の第二実施形態の容器１は図４、図５に示すように、容器本体２の形状を有底筒状の一形態である器状とし、容器本体２の側方に設けられる取手３の握り部材５を角筒状としていることについて、第一実施形態の容器１と相違する。
【００４０】
握り部材５は、平面視正多角形状の角筒状の筒体５ａと、底板５ｂとから構成される。底板５ｂは第一実施形態のような貫通穴５ｈが形成されていない。
【００４１】
筒体５ａは、段が一つ付いた形状であり、具体的には筒体５ａは、上から下に向かって順に配置されると共に順に口径が小さくなる第１、第２筒部５１，５２と、第１筒部５１の下端部及び第２筒部５２の上端部を口径方向に延長する形で接合する第１段部６１とから構成される。この場合、積重ねる別容器１に対して挿入する挿入部５６は、第２筒部５２より構成され、突出部５７は第１筒部５１と第１段部６１より構成される。
【００４２】
全高に関して第２筒部５２の全高Ｌ２は、第１筒部５１の全高Ｌ１（より正確には第１筒部５１の深さ寸法＝第１筒部５１の全高Ｌ１から第１段部６１の厚み寸法を引いた値）よりも僅かに小さく形成してある。それによって第１筒部５１の上面に、別容器１の第１段部６１の下面が積み重なる。
【００４３】
次に本発明の第一実施形態のアタッチメント７は図６、図７に示すように、本発明の第一実施形態の容器１と比べて、容器本体２の代わりにリング状のホルダー８を用い、このホルダー８を有底筒状の一形態であるコップ状の専用容器９の周囲に着脱可能に嵌合することを特徴とするものである。つまり第一実施形態のアタッチメント７は、専用容器９に着脱可能なもので、対象物である専用容器９の寸法を考慮して製造されるもので、専用容器９の上部に着脱するホルダー８と、ホルダー８の側方に設けられる取手３とから構成される。
【００４４】
ちなみに専用容器９は、下方へ向けて口径が小さくなる胴部９１と、胴部９１の下端部を塞ぐ底部９２とを備えている。
【００４５】
ホルダー８は、上下方向に貫通する筒状であり、下方へ向かうにつれて口径が小さくなるテーパ状に形成されている。鉛直方向に対するテーパ用の傾斜角度に関して、ホルダー８は、専用容器９に対応させるものとし、図示の例では高さ方向の一部である中間部をその上下部に比べて、鉛直方向に対して急激に緩やかにした形状としてある。また全高に関して、ホルダー８は取手３の第１筒部５１の全高Ｌ１と同じにしてある。
【００４６】
取手３は、ホルダー８の側方に間隔をおいてホルダー８よりも下方に延長する握り部材５と、握り部材５とホルダー８を接合する腕部材４とを備える。これら握り部材５と腕部材４は、第一実施形態の容器１の場合と同じ構成である。
【００４７】
上記した第一実施形態のアタッチメント７を専用容器９に取り付けると、専用容器９の上部外周面にホルダー８の内周面が嵌合し、専用容器９と握り部材５の底面とが平面上に配置された安定した状態になる。従って複数の専用容器９と複数のアタッチメント７を使えば握り部材５を中心にして専用容器９が円周方向に螺旋状にずれるようにして握り部材５を積重ねることもでき、新たな美観を発揮することができる。
【００４８】
本発明は上記実施形態に限定されるものではなく、その趣旨を逸脱しない範囲において適宜変更可能である。例えば前記したように握り部材５の筒体５ａのうち第１、第２筒部５１、５２は、正多角形状の角筒形状であれば良いので、頂点数（角数）が３以上であれば良い。より詳しくは、頂点数は、３〜８が望ましく、より望ましくは５、６である。
【００４９】
また筒体５ａに関して、前記実施形態では第１段部６１を必須とする構成、言い換えれば第１筒部５１と第１段部６１と第２筒部５２を必須とする構成であったが、これに限らず、段部の無い下方へ向かって小径となる角筒状であっても良い。この場合、下側の筒体５ａの内面に上側の筒体５ａの外面を積重ねるようにして収容することができるので、筒体５ａの内面が嵌合凹面５ｊとなり、筒体５ａの外面が嵌合凸面５ｋとなる。またこの場合、積重ねる別容器１の筒体５ａに対して挿入する挿入部５６は、筒体５ａの下部であり、突出部５７は筒体５ａの上部となる。
【符号の説明】
【００５０】
１  容器
２  容器本体
２Ｃ  容器本体の中心
２Ｌ  容器本体の中心線
２１  胴部
２２  底部
３  取手
４  腕部材
４１  天板
４２  側板
４５  容器用接合部
４６  握り用接合部
４７  中継部
５  握り部材
５Ｃ  握り部材の中心
５Ｌ  握り部材の中心線
５Ｒ  外径
５ａ  筒体
５１  第１筒部
５２  第２筒部
５３  第３筒部
５６  挿入部
５７  突出部
５ｂ  底板
５ｈ  貫通穴
５ｊ  嵌合凹面
５ｋ  嵌合凸面
６１  第１段部
６２  第２段部
Ｌ０  握り部材の全高
Ｌ１  第１筒部の全高
Ｌ２  第２筒部の全高
Ｌ３  第３筒部の全高
Ｍ  円
Ｈ  中心間距離
７  アタッチメント
８  ホルダー
９  専用容器
９１  胴部
９２  底部
【図１】
2016008076.tif 000003
【図２】
2016008076.tif 000004
【図３】
2016008076.tif 000005
【図４】
2016008076.tif 000006
【図５】
2016008076.tif 000007
【図６】
2016008076.tif 000008
【図７】
2016008076.tif 000009